(57)【要約】  冷却ファンを具備したヘルメットに係り、使用者の頭にかぶせられる形状に形成され、その一側に、少なくとも１つの貫通孔が形成された貫通部を具備した内部部材；内部部材の外側に具備された外皮部材；外皮部材の内側に具備され、内部部材の内部と、外皮部材の外部との空気フローが可能になるように、内部部材の貫通部と連通されるように形成された空気通路部；内部部材の内部空間から空気を吸入し、空気通路部を経て外部に排出させたり、あるいは外部の空気を吸入し、空気通路部を経て、内部部材の内部空間に空気を吹き入れるように具備された冷却ファン；内部部材が使用者の頭にかぶせられた状態の着用状態と、使用者の頭から分離された状態の脱帽状態とを感知する着脱感知部；着脱感知部が着用状態として感知する場合には、冷却ファンを作動させ、着脱感知部が脱帽状態として感知する場合には、冷却ファンを動作させない制御部；を含んで構成されたことを特徴とする。
2014523980.tif 000002
【特許請求の範囲】
【請求項１】
使用者の頭にかぶせられる形状に形成され、その一側に、少なくとも１つの貫通孔が形成された貫通部を具備した内部部材と、前記内部部材の外側に具備された外皮部材と、前記外皮部材の内側に具備され、前記内部部材の内部と、前記外皮部材の外部との空気フローが可能になるように、前記内部部材の貫通部と連通されるように形成された空気通路部と、前記内部部材の内部空間から空気を吸入し、前記空気通路部を経て外部に排出させたり、あるいは外部の空気を吸入し、前記空気通路部を経て、前記内部部材の内部空間に空気を吹き入れるように具備された冷却ファンと、前記内部部材が使用者の頭にかぶせられた状態の着用状態と、使用者の頭から分離された状態の脱帽状態とを感知する着脱感知部と、前記着脱感知部が前記着用状態として感知する場合には、前記冷却ファンを作動させ、前記着脱感知部が前記脱帽状態として感知する場合には、前記冷却ファンを動作させない制御部と、を含んで構成されたことを特徴とする冷却ファンを具備したヘルメット。
【請求項２】
前記空気通路部は、前記内部部材に形成され、前記内部部材は、一体の部材で形成されたことを特徴とする請求項１に記載の冷却ファンを具備したヘルメット。
【請求項３】
前記外皮部材の一側及び他側には、それぞれ第１顎ひも部材及び第２顎ひも部材を具備し、前記第１顎ひも部材及び第２顎ひも部材の各端部は、相互分離可能なように結合可能であり、前記着脱感知部は、前記第１顎ひも部材及び第２顎ひも部材を含み、前記着脱感知部は、前記第１顎ひも部材及び第２顎ひも部材の各端部が相互結合されたことを前記着用状態として感知し、相互分離したことを前記脱帽状態として感知することを特徴とする請求項１に記載の冷却ファンを具備したヘルメット。
【請求項４】
前記着脱感知部は、動きを感知することができる動作感知センサを含み、前記着脱感知部は、前記動作感知センサが動きを感知する場合、これを前記着用状態として感知し、前記動作感知センサが動きを感知することができない場合、これを前記脱帽状態として感知するように構成されたことを特徴とする請求項１に記載の冷却ファンを具備したヘルメット。
【請求項５】
前記着脱感知部は、湿度を測定することができる湿度センサを含み、前記着脱感知部は、前記湿度センサによって測定された前記内部部材の内部空間の湿度値が、事前設定された湿度値以上になれば、これを前記着用状態として感知し、前記湿度センサによって測定された前記内部部材の内部空間の湿度値が、事前設定された湿度値未満になれば、前記脱帽状態として感知するように構成されたことを特徴を特徴とする請求項１に記載の冷却ファンを具備したヘルメット。
【請求項６】
前記着脱感知部は、前記内部部材の内側面の一側に具備されたボタンを含み、前記着脱感知部は、前記ボタンが使用者の頭によって押される場合、これを前記着用状態として感知し、前記ボタンが押されない場合、これを前記脱帽状態として感知するように構成されたことを特徴を特徴とする請求項１に記載の冷却ファンを具備したヘルメット。
【請求項７】
前記着脱感知部は、前記内部部材の内側面に具備されて圧力を測定することができる圧力センサを含み、前記着脱感知部は、前記圧力センサが使用者の頭に接触される場合、これを前記着用状態として感知し、前記圧力センサに接触されることがない場合、これを前記脱帽状態として感知するように構成されたことを特徴を特徴とする請求項１に記載の冷却ファンを具備したヘルメット。
【請求項８】
前記着脱感知部は、前記内部部材の内側面の一側に具備された赤外線発信部と、前記内部部材の内側面の他側に具備されるが、前記赤外線発信部で発せられた赤外線を感知するように具備された赤外線受信部と、を含み、前記着脱感知部は、前記赤外線発信部で発せられた赤外線が、前記赤外線受信部に感知されなくなれば、前記着用状態として感知し、前記赤外線発信部で発せられた赤外線が、前記赤外線受信部に感知されれば、前記脱帽状態として感知するように構成されたことを特徴を特徴とする請求項１に記載の冷却ファンを具備したヘルメット。
【請求項９】
前記内部部材は、内皮部材と中間部材とからなり、前記貫通部は、前記内皮部材に具備され、前記空気通路部は、前記中間部材に具備され、前記中間部材は、前記内皮部材及び外部部材とは別途の部材でもって形成されたことを特徴を特徴とする請求項１に記載の冷却ファンを具備したヘルメット。
【請求項１０】
前記中間部材は、スチロホーム、ＥＰＰ、ＰＥ発泡スポンジのうち少なくとも一つであることを特徴を特徴とする請求項９に記載の冷却ファンを具備したヘルメット。
【請求項１１】
前記内皮部材は、ポリカーボネート（ＰＣ）、ポリエチレン（ＰＥ）、ポリエチレンテレフタレート（ＰＥＴ）、ポリプロピレン（ＰＰ）、フェノール樹脂（ＰＦ）、ポリスチレン（ＰＳ）、ＡＢＳ樹脂、メラミン、ポリ塩化ビニル（ＰＶＣ）のうち少なくとも一つであることを特徴を特徴とする請求項９に記載の冷却ファンを具備したヘルメット。
【請求項１２】
前記内皮部材に具備された貫通部を構成する各貫通孔の直径は、１ｍｍ以上３０ｍｍ以下であることを特徴とする請求項１に記載の冷却ファンを具備したヘルメット。
【請求項１３】
前記内部部材内部の一側に、温度センサ及び湿度センサのうち少なくとも一つが具備され、前記制御部は、前記温度センサまたは湿度センサから入力された信号によって、温度または湿度を計算した後、事前設定された値と比較し、前記冷却ファンの回転速度を調節するように構成されたことを特徴を特徴とする請求項１に記載の冷却ファンを具備したヘルメット。
【発明の詳細な説明】
【技術分野】
【０００１】
本発明は、冷却ファンを具備したヘルメットに係り、さらに詳細には、作業現場で作業者が頭にかぶりさえすれば、これを感知して冷却ファンを作動させ、内部の温度、湿度の上昇によって発生しうるさまざまな問題点を解決することができる冷却ファンを具備したヘルメットに関する。
【背景技術】
【０００２】
建設現場、製造工場のような作業場で、作業者は自分の安全のためにヘルメットを必ず着用しなければならない。かような作業場では、いつも落下物や、衝突、落下などの危険が存在するからである。
【０００３】
ほとんどの作業者は、ヘルメットの安全性に対する信頼があるから、ヘルメットを自発的に着用しており、雇用主も、産業現場の安全事故防止のために、義務的に着用するように誘導している。通常のヘルメットは、衝撃から作業者の頭を保護するため、丈夫な材質の外皮を含む。
【０００４】
しかし、かような安全上の趣旨とは別個に、作業者がヘルメットを長期間着用すれば、内部温度及び湿度の上昇によって、暑さと不快感とを感じ、はなはだしければ、頭痛や脱毛を発生させたりする。かような理由で、作業者は、作業する時間の間、持続的着用を忌避する場合がたびたび生じている。
【０００５】
特に、暑い夏の場合、外気の熱い熱気に、作業者の頭から発生する熱気が加わり、ヘルメット内部の温度が相当に上昇する。この結果、ヘルメット内部の多量の汗発生及び温度の上昇により、作業者は、ヘルメットの着脱を続けて繰り返しつつ、熱気を冷やすしかない。
【０００６】
かような厄介さ及び不快感によって、作業者は、ヘルメット着用を忌避することになり、これは、結局、作業者個人の安全及び雇用主の立場からも大きな危険になる。
【０００７】
一方、ヘルメット内部の空気を通風させる冷却ファンを具備し、強制通風機能を備えたヘルメットに係わる発明が、本出願人によって登録されている（特許文献１）。しかし、前記特許文献の強制通風機能を備えたヘルメットの場合、前述の問題点を相当部分解消してすぐれた効果を得ているが、冷却ファンの動作と係わる快適さや、内部構造に改善の余地がある。
【先行技術文献】
【特許文献】
【０００８】
【特許文献１】韓国特許第１１００５５８号公報
【発明の概要】
【発明が解決しようとする課題】
【０００９】
本発明は、前記のような必要性を充足させるために、ヘルメットの本然の機能である安全性を阻害せずに、ヘルメットを着用さえすれば冷却ファンが作動し、長期間着用しても、汗や温度上昇による不快感、頭痛、脱毛現象などが効果的に防止される冷却ファンを具備したヘルメットを提供するところにその目的がある。
【００１０】
本発明の他の目的は、冷却ファンを装着するための構造が簡単でありつつも、安全性が向上した冷却ファンを具備したヘルメットを提供するところにある。
【００１１】
本発明のさらに他の目的は、使用者がヘルメットを着用したり、あるいははずしたりすれば、それを多様な方式で感知し、別途のスィッチの動作なしにも、冷却ファンを作動させたり停止させられ、利便性の向上した冷却ファンを具備したヘルメットを提供するところにある。
【課題を解決するための手段】
【００１２】
前記のような目的を達成するために、本発明は、使用者の頭にかぶせられる形状に形成され、その一側に、少なくとも１つの貫通孔が形成された貫通部を具備した内部部材；前記内部部材の外側に具備された外皮部材；前記外皮部材の内側に具備され、前記内部部材の内部と、前記外皮部材の外部との空気フローが可能になるように、前記内部部材の貫通部と連通されるように形成された空気通路部；前記内部部材の内部空間から空気を吸入し、前記空気通路部を経て外部に排出させたり、あるいは外部の空気を吸入し、前記空気通路部を経て、前記内部部材の内部空間に空気を吹き入れるように具備された冷却ファン；前記内部部材が使用者の頭にかぶせられた状態の着用状態と、使用者の頭から分離された状態の脱帽状態とを感知する着脱感知部；前記着脱感知部が前記着用状態として感知する場合には、前記冷却ファンを作動させ、前記着脱感知部が前記脱帽状態として感知する場合には、前記冷却ファンを動作させない制御部；を含んで構成されたことを特徴とする。
【００１３】
一方、前記空気通路部は、前記内部部材に形成され、前記内部部材は、一体の部材で形成されたことが望ましい。
【００１４】
また、前記外皮部材の一側及び他側には、それぞれ第１顎ひも部材及び第２顎ひも部材を具備し、前記第１顎ひも部材及び第２顎ひも部材の各端部は、相互分離可能なように結合可能であり、前記着脱感知部は、前記第１顎ひも部材及び第２顎ひも部材を含み、前記着脱感知部は、前記第１顎ひも部材及び第２顎ひも部材の各端部が相互結合されたことを前記着用状態として感知し、相互分離したことを前記脱帽状態として感知することが望ましい。
【００１５】
一方、前記着脱感知部は、動きを感知することができる動作感知センサを含み、前記着脱感知部は、前記動作感知センサが動きを感知する場合、これを前記着用状態として感知し、前記動作感知センサが動きを感知することができない場合、これを前記脱帽状態として感知するように構成されたことが望ましい。
【００１６】
また、前記着脱感知部は、湿度を測定することができる湿度センサを含み、前記着脱感知部は、前記湿度センサによって測定された前記内部部材の内部空間の湿度値が、事前設定された湿度値以上になれば、これを前記着用状態として感知し、前記湿度センサによって測定された前記内部部材の内部空間の湿度値が、事前設定された湿度値未満になれば、前記脱帽状態として感知するように構成されたことが望ましい。
【００１７】
そして、前記着脱感知部は、前記内部部材の内側面の一側に具備されたボタンを含み、前記着脱感知部は、前記ボタンが使用者の頭によって押される場合、これを前記着用状態として感知し、前記ボタンが押されない場合、これを前記脱帽状態として感知するように構成されたことも望ましい。
【００１８】
また、前記着脱感知部は、前記内部部材の内側面に具備されて圧力を測定することができる圧力センサを含み、前記着脱感知部は、前記圧力センサが使用者の頭によって接触される場合、これを前記着用状態として感知し、前記圧力センサに接触されることがない場合、これを前記脱帽状態として感知するように構成されたことが望ましい。
【００１９】
また、前記着脱感知部は、前記内部部材の内側面の一側に具備された赤外線発信部と、前記内部部材の内側面の他側に具備されるが、前記赤外線発信部で発せられた赤外線を感知するように具備された赤外線受信部と、を含み、前記着脱感知部は、前記赤外線発信部で発せられた赤外線が、前記赤外線受信部に感知されなくなれば、前記着用状態として感知し、前記赤外線発信部で発せられた赤外線が、前記赤外線受信部に感知されれば、前記脱帽状態として感知する構成も可能である。
【００２０】
一方、前記内部部材は、内皮部材と中間部材とからなり、前記貫通部は、前記内皮部材に具備され、前記空気通路部は、前記中間部材に具備され、前記中間部材は、前記内皮部材及び外部部材とは別途の部材でもって形成されたことが望ましい。
【００２１】
そして、前記中間部材は、スチロホーム（発泡プラスチック）、発泡ポリプロピレン（ＥＰＰ）、ＰＥ発泡スポンジのうち少なくとも一つであることが望ましい。
【００２２】
また、前記内皮部材は、ポリカーボネート（ＰＣ）、ポリエチレン（ＰＥ）、ポリエチレンテレフタレート（ＰＥＴ）、ポリプロピレン（ＰＰ）、フェノール樹脂（ＰＦ）、ポリスチレン（ＰＳ）、ＡＢＳ樹脂、メラミン、ポリ塩化ビニル（ＰＶＣ）のうち少なくとも一つであることが望ましい。
【００２３】
一方、前記内皮部材に具備された貫通部を構成する各貫通孔の直径は、１ｍｍ以上３０ｍｍ以下であることが望ましい。
【００２４】
また、前記内部部材内部の一側に、温度センサ及び湿度センサのうち少なくとも一つが具備され、前記制御部は、前記温度センサまたは湿度センサから入力された信号によって、温度または湿度を計算した後、事前設定された値と比較し、前記冷却ファンの回転速度を調節するように構成されたことが望ましい。
【発明の効果】
【００２５】
本発明の冷却ファンを具備したヘルメットによれば、使用者がヘルメットをかぶりさえすれば、着脱感知部がこれを感知し、具備された冷却ファンが作動するように構成されているので、便利であって効果的にヘルメット内部の熱の冷却が可能である。
【００２６】
また、本発明の冷却ファンを具備したヘルメットによれば、一体に形成された内部部材を具備する場合、製造が簡単であって生産性が高くなるだけではなく、冷却ファンの装着も容易である。
【図面の簡単な説明】
【００２７】
【図１】本発明による一実施形態の冷却ファンが具備されたヘルメットの斜視図である。
【図２】図１の垂直方向の概略的断面図である。
【図３】図１のヘルメットの内部部材である。
【図４】図１のヘルメットの電源供給部である。
【図５】図１のヘルメットを下から上に見た概略的図面である。
【図６】本発明による他の実施形態の冷却ファンが具備されたヘルメットの概略的断面図である。
【図７】図６のヘルメットの内皮部材である。
【図８】図６のヘルメットの中間部材である。
【発明を実施するための形態】
【００２８】
以下、添付された図面を参照しつつ、本発明による実施形態について、さらに詳細に説明する。
【００２９】
本発明による一実施形態の冷却ファンを具備したヘルメット１は、建築現場、構造物製造現場、各種工場のような作業場で、危険から頭を保護するため、使用者が頭にかぶるものをいう。使用者は、「作業者」のような意味である。
【００３０】
前記冷却ファンを具備したヘルメット１は、内部部材１０、外皮部材２０、空気通路部３０、冷却ファン４０、着脱感知部５０及び制御部を含んで構成される。
【００３１】
前記内部部材１０は、使用者の頭にかぶせられる形状、例えばおおよそ半球形状に形成される。実施形態によって使用者の頭にかぶせられさえすれば、半球形状から変形された形状も可能である。
【００３２】
本実施形態の場合、内部部材１０の上部中央の貫通部１２には、冷却ファン４０が装着される溝１４が具備されているし、その溝１４の両側には、空気通路部３０が形成されている。内部部材１０は、一体の部材で形成されており、製造するのに簡便であって生産性が向上するという長所がある
【００３３】
内部部材１０は、丈夫であって成形するのに適した材質から作られる。内部部材１０は、後述する他の実施形態のヘルメット１ａでの中間部材と同一の材質でもって作られもする。
【００３４】
内部部材１０の一側には、貫通部１２が具備されている。貫通部１２は、多数の貫通孔１３からなっている。本実施形態の場合、貫通部１２は、半球状の内部部材１０の上部中央に具備されており、内部部材の内部空間１６の熱を排出するためには、この位置が最も望ましい。ただし、実施形態によって、貫通部の位置は、変更が可能である。また、貫通部が上部にも形成され、他のところにも追加して形成されもする。
【００３５】
本実施形態の場合、貫通部１２をなす各貫通孔１３は、その直径が１ないし３ｍｍである。貫通部１２は、多数個の貫通孔からなっている。実施形態によっては、貫通孔の直径が、３ｍｍ以上３０ｍｍ以下の大きさにもなり、直径が大きくなるにつれ、具備される個数は減るように具備される。
【００３６】
前記外皮部材２０は、内部部材１０の外側に具備される。外皮部材２０は、衝撃から使用者の頭を保護することができる剛性を有した、通常のヘルメットで使われる材質で作られる。
【００３７】
前記空気通路部３０は、外皮部材２０の内側に具備される。空気通路部３０は、内部部材１０の内部空間１６と、外皮部材２０の外部空間との空気フローが可能になるように、トンネルのような形態に形成される。空気通路部３０は、内部部材１０の貫通部１２から延設される。
【００３８】
本実施形態の場合、空気通路部３０は、内部部材１０に形成される。図３を参照すれば、空気通路部３０は、内部部材１０の外側面に、一部が除去されて形成される。空気通路部３０は、貫通部１２が具備された内部部材１０の上端中央部から、その両側下に延長され、端部まで連結されるように形成されている。
【００３９】
一方、実施形態によって、空気通路部は、３方向、４方向、またはそれ以上に形成され、内部部材の外側面ではない、外側面と内側面との中間部分に形成された空間によって形成されもする。
【００４０】
前記冷却ファン４０は、内部部材１０の内部空間１６から熱気を含んだ空気を吸入し、貫通部１２及び空気通路部３０を経て外部空間に排出させたり、あるいは外部空間の空気を吸入し、空気通路部３０及び貫通部１２を経て、内部部材１０の内部空間１６に空気を吹き入れるように具備される。
【００４１】
本実施形態の場合、冷却ファン４０は、直流遠心ファン（centrifugal fan）が使用され、内部部材の内部１６から外部に空気フローを作る。かような方向の空気フローが、内部空間１６の熱を冷却させるのにさらに効果的である。
【００４２】
一方、実施形態によって、冷却ファンは、軸流ファンが使われ、空気フローが反対に形成させるように具備されもする。
【００４３】
前記着脱感知部５０は、使用者または作業者が、前記内部部材１０を頭にかぶっているか否かを感知する構成である。内部部材１０をかぶっているという意味は、ヘルメット１をかぶっているという意味と同一である。すなわち、着脱感知部５０は、使用者がヘルメットをかぶっているか、あるいは脱いでいるかを感知する手段である。
【００４４】
本明細書で、「着用状態」というのは、内部部材１０が使用者の頭にかぶせられた状態であると認める状態を意味し、「脱帽状態」といえば、内部部材１０が使用者の頭から分離された状態であると認める状態を意味する。
【００４５】
前記制御部は、着脱感知部５０が着用状態として感知する場合には、冷却ファン４０を作動させ、着脱感知部５０が脱帽状態として感知する場合には、冷却ファン４０が動作されないように制御する。
【００４６】
すなわち、着脱感知部５０で、現在状態を着用状態として感知し、これに対応する信号を出力すれば、制御部は、この信号を受け、冷却ファン４０を動作させるのである。また、着脱感知部５０で、脱帽状態として感知し、これに対応する信号を出力すれば、制御部は、この信号を受け、冷却ファン４０が動作している場合には、動作を止めるようにし、停止している状態を続けて維持する。
【００４７】
制御部は、図面に図示されていないが、冷却ファンに付着して具備され、ヘルメットのある一部分に具備されもする。制御部の詳細構成は、該技術分野の当業者に容易に実施可能な構成であるので、これ以上の説明は省略する。
【００４８】
一方、本発明のヘルメットには、冷却ファンの動作いかんを手動で制御することができるメインスイッチ（図示せず）が具備されもする。かようなメインスイッチとしては、トグルスイッチ、プッシュボタンスィッチ、ローカススイッチ、スライドスィッチのうちいずれか一つが使われる。メインスイッチは、使用者がアクセスしやすい適切な位置に具備される。
【００４９】
本実施形態の場合、着脱感知部５０は、外皮部材の一側及び他側のそれぞれに具備された第１顎ひも部材５２及び第２顎ひも部材５４を含む。
【００５０】
第１顎ひも部材５２及び第２顎ひも部材５４は、本実施形態のヘルメットを頭にかぶった後、そのヘルメットを意図せずに離脱させない固定手段である。かような顎ひも部材を締結することは、安全と関連性が大きく、これを法で強制している。
【００５１】
第１顎ひも部材５２の端部５３と、第２顎ひも部材５４の端部５５には、相互分離可能なように結合可能である。それぞれの端部５３，５５には、リミットスィッチのような機械的構成や、電気的なセンサなどを具備し、相互結合される場合、これを着用状態として感知し、相互分離する場合、これを脱帽状態として感知し、それぞれの場合に対応する信号を出力するように構成されている。
【００５２】
従って、使用者が本実施形態のヘルメット１をかぶり、第１顎ひも部材５２の端部５３及び第２顎ひも部材５４の端部５５を相互結合させるだけで、別途の動作なしに、着用状態に対応する信号が着脱感知部５０で発せられて制御部に伝達され、制御部は、かような信号を受けて冷却ファン４０を動作させる。
【００５３】
冷却ファン４０が動作する前には、第１顎ひも部材５２の端部５３及び第２顎ひも部材５４の端部５５が相互分離されており、かような状態は、着脱感知部によって脱帽状態として感知されるから、脱帽状態に対応する信号を受けた制御部によって、冷却ファン４０は、停止状態で維持されるのである。
【００５４】
冷却ファン４０が動作すれば、ヘルメット１の内部部材１０内部で発生する熱が、外部に排出され、一定温度以上には上がらず、作業者は、長期間快適な状態で作業を続けることができる。
【００５５】
作業を終えたヘルメット使用者（作業者）が、ヘルメット１をはずすために、結合されていた第１顎ひも部材５２の端部５３及び第２顎ひも部材５４の端部５５を相互分離させれば、脱帽状態に対応する信号が発せられて制御部に伝達され、制御部は、かような信号を受け、冷却ファン４０の動作を停止させ、これを維持させる。これにより、使用者は、冷却ファン４０を止める動作を行わずとも、自動的に冷却ファン４０の動作が止まる。
【００５６】
一方、実施形態によって、内部部材内部の一側に、温度センサまたは湿度センサを具備することもできる。制御部では、これらセンサによって、温度と湿度とを計算し、事前設定された値によって、冷却ファン４０の動作いかんだけではなく、動作時の回転速度の加減を調節することもできるように構成されもする。かような構成を具備する場合、さらに効果的に効率的に冷却がなされるという長所がある。
【００５７】
一方、本実施形態の場合、外皮部材２０の外側後方には、電源供給部７０が具備されている。電源供給部７０は、充電式であり、外皮部材２０と接する面が、外皮部材２０の曲率と同一の曲率有するように形成されている。電源供給部７０は、外皮部材２０に、クリップ７２のような結合手段によって固定される。
【００５８】
実施形態によって、電源供給部７０は、外皮部材２０にねじのような手段で固定されたり、あるいはシリコンクリップなどで接合して装着される。また、実施形態によって、電源供給部７０が外皮部材２０に固定されるのではなく、使用者が、腰ベルトなどに固定して使われもし、その場合、電源供給部と、制御部や冷却ファンは、電線で連結されるように構成される。
【００５９】
図４を参考にすれば、電源供給部７０には、充電残量が表示される表示部７４が具備されている。表示部７４は、発光ダイオード（ＬＥＤ）のような発光素子が多数個具備されて構成され、残った電気量のパーセント（％）を表示したり、あるいは残った使用時間を表示するように構成されもする。表示部７４によって、使用者は、電源供給部７０に残っている電気量を確認し、充電いかんを決定することができる。
【００６０】
一方、本発明の着脱感知部５０は、第１顎ひも部材５２及び第２顎ひも部材５４を含む前述の実施形態とは異なる構成でもって多様に変形が可能である。以下で詳細に説明する。
【００６１】
本発明による一実施形態のヘルメットに具備された着脱感知部は、動作感知センサを含んでもよい。動作感知センサは、ヘルメットの適切な位置に具備される。動作感知センサは、動きを感知するセンサである。
【００６２】
動作感知センサを含んだ着脱感知部は、動作感知センサが動きを感知する場合、これを着用状態として感知し、これに対応する信号を出力する。一方、動きを感知することができない場合、これを前記脱帽状態として感知し、これに対応する信号を出力したり、あるいは何の信号も出力しないように構成されている。
【００６３】
使用者が、かような動作感知センサが含まれた着脱感知部を具備したヘルメットを着用するために、手に取れば、停止状態の脱帽状態として感知していたヘルメットの着脱感知部は、動きを感知し、これを着用状態として感知し、これに対応する信号を制御部に送る。制御部は、信号を受けて冷却ファンを動作させる。
【００６４】
その場合、実際に使用者が頭にかぶる前に冷却ファンが作動することもあるが、発明の本来の目的が達成されるにおいて、かような差は無視しても差し支えない。
【００６５】
ヘルメットを頭にかぶった作業者は、ほぼ動きが続いているから、冷却ファンの作動は止まらない。ただし、ヘルメットを頭にかぶった作業者が、何秒間かは実際に動かない場合もあるので、かような場合に備えて、制御部は、停止状態が所定時間、例えば、５秒以上停止状態にあれば、これを停止状態の脱帽状態であると認識するように設定することもできる。
【００６６】
使用者がヘルメットをはずし、保管台などに乗せれば、動きがなくなる。かような場合、着脱感知部は、脱帽状態として感知し、これに対応する信号を制御部に送れば、これによって制御部は、冷却ファンの動作を中断させる。
【００６７】
一方、本発明による他の実施形態のヘルメットに具備された着脱感知部は、湿度を測定することができる湿度センサを含んでもよい。
【００６８】
湿度センサは、内部部材の内部空間の湿度値を測定することができるように、内部部材１０の内側面に具備される。着脱感知部は、湿度センサによって測定された内部部材の内部空間の湿度値が、事前設定された湿度値以上になれば、これを着用状態として感知し、事前設定された湿度値未満になれば、前記脱帽状態として感知するように構成される。詳細な動作についての説明は、前述のところが適切に変形されて適用されるので、省略する。
【００６９】
一方、本発明によるさらに他の実施形態のヘルメットに具備された着脱感知部は、内部部材の内側面の一側に具備されたボタンを含んでもよい。
【００７０】
図５を参照すれば、ボタン５０ｂが、内部部材１０の貫通部１２周辺に具備されたところが例示されている。着脱感知部は、ボタン５０ｂが使用者の頭によって押される場合、これを前記着用状態として感知し、ボタン５０ｂが押されない場合、これを脱帽状態として感知するように構成される。本実施形態についての詳細な動作に係わる説明は、前述のところが適切に変形されて適用されるので、省略する。
【００７１】
一方、さらに他の実施形態の場合、着脱感知部は、前述の実施形態のボタン５０ｂの代わりに、圧力センサを含んでもよい。圧力センサは、内部部材の内側面に具備されて圧力を測定することができる構成である。
【００７２】
着脱感知部は、圧力センサが使用者の頭によって接触される場合、これを着用状態として感知し、圧力センサに接触されることがない場合、これを脱帽状態として感知するように構成されている。
【００７３】
一方、本発明によるさらに他の実施形態のヘルメットに具備された着脱感知部は、赤外線発信部と赤外線受信部とを含んで構成されもする。
【００７４】
図５を参照すれば、５２ｃで示された内部部材の一側に、赤外線発信部が具備され、５４ｃで示された内部部材の内側面の他側に、赤外線受信部が具備されもする。
【００７５】
着脱感知部は、赤外線発信部で発せられた赤外線が、赤外線受信部に感知されなければ、着用状態として感知し、赤外線発信部で発せられた赤外線が、赤外線受信部に感知されれば、脱帽状態として感知するように構成されている。
【００７６】
すなわち、使用者がヘルメットをかぶれば、使用者の頭によって、赤外線発信部から赤外線受信部に照射されている赤外線を遮断することになる。このようになれば、着脱感知部は、着用状態として感知する。使用者がヘルメットをはずせば、赤外線は赤外線受信部で感知され、着脱感知部は、これを脱帽状態として感知する。本実施形態についての詳細な動作に係わる説明は、前述のところが適切に変形されて適用されるので、省略する。
【００７７】
一方、図６ないし図８には、本発明による他の実施形態の冷却ファンを具備したヘルメット１ａが例示されている。
【００７８】
本実施形態の冷却ファンを具備したヘルメット１ａを、最初の実施形態のヘルメット１と比較して説明すれば、前述の実施形態の内部部材１０が、本実施形態では、内皮部材１１ａと中間部材１５ａとから構成されているというところに差がある。以下では、最初の実施形態のヘルメット１と差がある構成について主に説明し、説明されていない構成については、前述の説明がそのまま、または適切に変形されて適用される。
【００７９】
本実施形態の冷却ファンを具備したヘルメット１ａは、内部部材、外皮部材２０ａ、空気通路部３０ａ、冷却ファン、着脱感知部及び制御部を含んで構成される。
【００８０】
内部部材は、内皮部材１１ａと中間部材１５ａとからなっている。
【００８１】
図７を参照すれば、内皮部材１１ａには、貫通部１２ａが具備されている。貫通部１２ａは、多数の貫通孔１３ａからなっている。内皮部材１１ａには、中間部材１５ａの組み立てを容易にするように一助となり、空気通路部の一部を構成するガイド部１７ａが形成されている。１対のガイド部１７ａは、内皮部材１１ａの外側面に突き出て延設されている。
【００８２】
本実施形態の場合、内皮部材は、ポリカーボネート材質で作られる。ポリカーボネートは、透明であり、強度、引っ張り力にすぐれるという長所があり、内皮部材として適する。
【００８３】
一方、実施形態によって、内皮部材は、ポリエチレン（ＰＥ）、ポリエチレンテレフタレート（ＰＥＴ）、ポリプロピレン（ＰＰ）、フェノール樹脂（ＰＦ）、ポリスチレン（ＰＳ）、ＡＢＳ樹脂、メラミン、ポリ塩化ビニル（ＰＶＣ）のうちいずれか一つで作られたり、あるいはそれらのうち２個以上を混合した材質で作ることも可能である。
【００８４】
ポリエチレン（ＰＥ）は、軽くて柔軟であって化学薬品に強く、電気絶縁性にすぐれるという長所があり、ポリエチレンテレフタレート（ＰＥＴ）は、熱可塑性樹脂のうち最高の耐熱性を保有しており、温度湿度の影響に安定しており、寸法安定性にすぐれるという長所があり、ポリアミド（ＰＡ、ナイロン）は、摩擦摩耗性にすぐれ、強靭であって引っ張り力が良好であるという長所があり、ポリプロピレン（ＰＰ）は、ポリエチレンと類似しているが、さらに透明であり、かつ軟化点が高く、反復屈曲に十分に耐えるという長所があり、ポリ塩化ビニル（ＰＶＣ）は、価格が廉価であり、可塑剤の添加程度によって、柔軟度の調節が可能であり、耐薬品性、電気絶縁性が良好であるという長所があり、ポリスチレン（ＰＳ）は、無色透明であり、可視光線透過率がアクリルの次に優秀であり、電気絶縁性、耐薬品性が良好であるという長所があり、ＡＢＳ樹脂は、強度、耐薬品性、耐油性が良好であって光沢があるという長所がある。内皮部材の材料選択時に前述の長所を考慮する。
【００８５】
空気通路部３０ａは、中間部材１５ａに具備される。中間部材１５ａの上部中央には、冷却ファンの装着のための空間である溝１４ａが形成されている。中間部材１５ａは、内皮部材１１ａ及び外部部材２０ａとは別途の部材でもって形成される。かような構成によってなる場合、衝撃吸収能の向上するという長所がある。
【００８６】
本実施形態の場合、中間部材１５ａは、スチロホーム、ＥＰＰ、ＰＥ発泡スポンジのうち少なくともいずれか一つで作られる。
【００８７】
スチロホーム（ＥＰＳ：発泡ポリスチレン）、発泡ポリプロピレン（ＥＰＰ）、発泡スポンジ（ＰＥ：発泡ポリエチレン）、発泡ポリウレタン（ＰＵＦ）の四種いずれも発泡プラスチックの種類であり、衝撃吸収のための緩衝効果が良好であり、中間部材として使うのに適している。
【００８８】
スチロホームは、最も古い発泡プラスチックであり、今も最も広く使用されている。ＥＰＰは、既存スチロホームの物理的脆弱性である壊れ性、反復緩衝性、柔軟性、耐薬品性などを補強した素材であり、電子製品包装、自動車部品、構造物など高価製品の包装材及び産業用資材として広く活用されており、軽量性、強度、柔軟性の特徴において、化学処理及び腐食に影響が小さいという特徴がある。
【００８９】
ＰＥ発泡スポンジは、剛性は低いが、弾力、柔軟性にすぐれるという長所がある。発泡ポリウレタン（polyurethane foam）は、主原料であるポリオールの性質により、丈夫なものから柔らかいものまで、多様な発泡体を得ることができるという長所がある。
【００９０】
中間部材材質の選択時、前述の長所を考慮して選択する。
【図１】
2014523980.tif 000003
【図２】
2014523980.tif 000004
【図３】
2014523980.tif 000005
【図４】
2014523980.tif 000006
【図５】
2014523980.tif 000007
【図６】
2014523980.tif 000008
【図７】
2014523980.tif 000009
【図８】
2014523980.tif 000010
【国際調査報告】
2014523980.tif 000011
2014523980.tif 000012
2014523980.tif 000013
2014523980.tif 000014